(57)【要約】【課題】理美容の仕上げ時間を大幅に短縮して、髪又は肌へのダメージを極力抑えると共に、高温の水滴の吹き出しを抑制して火傷を防止する理美容用蒸気供給装置を提供することを目的とする。【解決手段】蒸気生成部（１）から、電磁弁（２）、連結管（４）を介して、圧力のある蒸気を送ってスチーム吹出部（３）から強制的に噴出させる理美容用蒸気供給装置であって、電磁弁（２）が、閉状態に於ても蒸気生成部（１）からの蒸気を流して電磁弁（２）内部を予熱する予熱蒸気循環路を有し、さらに、スチーム吹出部（３）が、その内部の吹出部内蒸気流路を加熱する電気ヒータを有している。【選択図】　図１
2004057604.tif 000002
【特許請求の範囲】
【請求項１】
蒸気生成部（１）から、電磁弁（２）、連結管（４）を介して、圧力のある蒸気を送ってスチーム吹出部（３）から強制的に噴出させる理美容用蒸気供給装置であって、上記電磁弁（２）が、閉状態に於ても上記蒸気生成部（１）からの蒸気を流して上記電磁弁（２）内部を予熱する予熱蒸気循環路（４３）を有し、さらに、上記スチーム吹出部（３）が、その内部の吹出部内蒸気流路（６０）を加熱する電気ヒータ（５２）を有することを特徴とする理美容用蒸気供給装置。
【請求項２】
吹出部内蒸気流路（６０）の途中に、水蒸発用空間（６１）を設け、該水蒸発用空間（６１）の近傍に電気ヒータ（５２）を配設した請求項１記載の理美容用蒸気供給装置。
【請求項３】
蒸気生成部（１）が、蒸気を発生させる缶体（１８）を有し、該缶体（１８）と電磁弁（２）との間の蒸気流路（３５）に減圧弁（２７）を配設した請求項１又は２記載の理美容用蒸気供給装置。
【発明の詳細な説明】
【０００１】
【発明の属する技術分野】
本発明は、理美容用蒸気供給装置に関する。
【０００２】
【従来の技術】
一般に、髪にパーマネントウェーブをかける場合や髪の毛染めを行う場合、髪に薬品をつけた後に遠赤外線等の乾熱を当てるか、若しくは自然放置して、仕上げていた。また、顔の美容を行う場合、美顔剤を顔全面につけてから蒸気を当てるか、又は、２０分間程度放置していた。
【０００３】
そして、従来の理美容用蒸気供給装置は、水を大気圧下で沸騰させて（圧力のない水蒸気）湯気を発生させ、その湯気を髪又は顔に当てるように構成されていた。
【０００４】
【発明が解決しようとする課題】
しかしながら、従来の理美容用蒸気供給装置では、（自然に立ちのぼっている状態の）湯気は、顔に部分的にしか当たらないため、顔の全体を均一に仕上げることが困難であった。しかも、湯気の出口付近は、熱くて近づくことができず、他方、離れると湯気が当たらないため、湯気の使用は困難であった。また、薬品及び熱を、髪にさらす時間が長くなるため、髪の毛にダメージを与えていた。
【０００５】
そこで、本発明は、理美容の仕上げ時間を大幅に短縮して、髪又は顔や身体の肌へのダメージを極力抑えると共に、高温の水滴の吹き出しを抑制して火傷を防止する理美容用蒸気供給装置を提供することを目的とする。
【０００６】
【課題を解決するための手段】
上述の目的を達成するために、本発明に係る理美容用蒸気供給装置は、蒸気生成部から、電磁弁、連結管を介して、圧力のある蒸気を送ってスチーム吹出部から強制的に噴出させる理美容用蒸気供給装置であって、上記電磁弁が、閉状態に於ても上記蒸気生成部からの蒸気を流して上記電磁弁内部を予熱する予熱蒸気循環路を有し、さらに、上記スチーム吹出部が、その内部の吹出部内蒸気流路を加熱する電気ヒータを有するものである。
【０００７】
また、吹出部内蒸気流路の途中に、水蒸発用空間を設け、該水蒸発用空間の近傍に電気ヒータを配設している。また、蒸気生成部が、蒸気を発生させる缶体を有し、該缶体と電磁弁との間の蒸気流路に減圧弁を配設している。
【０００８】
【発明の実施の形態】
以下、実施の形態を示す図面に基づき、本発明を詳説する。
【０００９】
図１と図２と図３に、本発明に係る理美容用蒸気供給装置の実施の一形態を示し、本装置は、ケーシングＣに（その大部分が）内装される蒸気生成部１から、電磁弁２、及び、（ホースなどの）可撓性のある連結管４を介して、圧力のある蒸気を送ってスチーム吹付器５１のスチーム吹出部３から強制的に噴出させるように構成されている。なお、「圧力のある蒸気」とは、大気圧よりも高い圧力を有する蒸気をいう。
【００１０】
本装置は、髪にパーマネントウェーブをかける場合や髪の毛染めを行う場合、又は、顔の美容を行う場合、若しくは、身体（全体）の美容を行う場合に、（薬品や化粧品や美容液などをつけた）髪又は顔若しくは身体に、スチーム吹出部３から（水）蒸気を勢いよく吹き付けて使用される。
【００１１】
蒸気生成部１は、図３に示すように、蒸気を発生させる缶体（ボイラー）１８と、缶体１８へ水を供給するための交換可能なカートリッジ式水タンク１１とを、有し、缶体１８は、水流路３４を介してカートリッジ式水タンク１１と連結され、かつ、蒸気流路３５を介して電磁弁２と連結されている。
【００１２】
カートリッジ式水タンク１１は、水流路３４の上流に連結される内蔵水タンク１２の上面に載置され、（図示省略の）バルブを介して、カートリッジ式水タンク１１内の水が、落差で、内蔵水タンク１２内に流入するように構成されている。なお、カートリッジ式水タンク１１は、図２に示すように、ケーシングＣの開閉扉５から取出自在にケーシングＣに内蔵され、本装置へ清浄な水を容易に補給できる。
【００１３】
水流路３４には、上流側より、順次、カートリッジ式イオン交換樹脂１４、給水ポンプ１５、給水逆止弁１６が配設されている。ここで、本装置の使用時間が長く多くの蒸気を使用すると、缶体１８内部の水は不純物が濃縮され、キャリーオーバーが発生して水滴が出るが、カートリッジ式イオン交換樹脂１４を内蔵することで、水の不純物を少なくすることができる。また、カートリッジ式イオン交換樹脂１４は、交換可能で、簡単に取り替えることができる。なお、ケーシングＣの正面に付設された操作パネル６に於て、カートリッジ式イオン交換樹脂１４の寿命を表示するようにしてもよい。このとき、（図示省略の）タイマーにて給水ポンプ１５の稼動時間を累積し、水の使用量を概算してカートリッジ式イオン交換樹脂１４の寿命を設定するように構成すればよく、カートリッジ式イオン交換樹脂１４を取り替えたときは、そのタイマーをリセットすればよい。
【００１４】
缶体１８は、液相（水）側に挿入される電気ヒータ１９と、気相（蒸気）側に連通連結される圧力設定スイッチ２４と、を備え、電気ヒータ１９は、缶体１８内の水を沸かして蒸気を発生させ、圧力設定スイッチ２４は、缶体１８内の蒸気圧力を測定して（予め）設定された圧力と比べて、電気ヒータ１９をＯＮ−ＯＦＦ切換えするように構成されている。即ち、設定圧力になると、電気ヒータ１９への通電が止まり、設定圧力未満になると再度電気ヒータ１９に通電される。従って、缶体１８内部の圧力を一定に保つことができる。
【００１５】
また、缶体１８の気相側には、圧力安全弁２３が取り付けられ、何らかの異常が発生して設定圧力を越えた場合は、圧力安全弁２３より蒸気を噴き出し、缶体１８が異常高圧力になるのを防ぐことができる。
【００１６】
また、缶体１８には、水面を検知する缶体水位検知電極棒２５が挿入され、水面がある一定時間以上、低水位を持続した場合は、電気ヒータ１９の通電を止めるように構成されている。従って、電気ヒータ１９の空焚きを防止することができる。
【００１７】
また、蒸気流路３５には、上流側より、順次、ストレーナ２６、減圧弁２７が配設されている。この減圧弁２７は、上流側の缶体１８内を高圧（例えば、０．５　ＭＰａ）にし、下流側を低圧（例えば、０．２　ＭＰａ）にするように構成されており、スチーム吹出部３より蒸気を噴出して、缶体１８内部の圧力が低圧（例えば、０．２　ＭＰａ）になるまでは安定した蒸気を噴出することができる。即ち、減圧弁２７が無い場合は、蒸気使用量が蒸気発生量より多いときに、使用中に蒸気圧力が低下して、蒸気噴出量が減少し、特に、使用始めと終わりの方では蒸気量が変わるといった欠点があるが、本装置のように、減圧弁２７を設けることで、噴出蒸気量を一定にすることができる。
【００１８】
また、蒸気生成部１は、缶体１８の温度が所定値以下のときに缶体１８内の水を排水する自動排水手段７を備えている。具体的に述べると、缶体１８は、排水流路３６を介して、ケーシングＣの外部にある缶体排水受け容器２２に連結され、その排水流路３６の途中には、電動開閉バルブ２１が配設されている。そして、缶体１８表面に取り付けられた缶体温度センサ２０が、本装置使用後主電源を切って自然冷却している缶体１８表面の温度を検知して、その温度が低温の所定値（例えば５０℃）以下のときに、再度本装置の主電源を入れると、電動開閉バルブ２１を開けて、缶体排水受け容器２２に缶体１８内の水を排水するように構成している。このとき、電磁弁２を開けて、空気を缶体１８内に入るようにしている。即ち、自動排水手段７は、缶体温度センサ２０と、電動開閉バルブ２１と、電磁弁２等から構成される。
【００１９】
従って、本装置により蒸気を多く使用後、缶体１８内部の水は不純物が濃縮されて水垢が溜まるが、この自動排水手段７により、本装置を再度使用する前に、缶体１８内部の水垢を排水して、缶体１８内部のキャリーオーバーを防止することができる。なお、所定値を低温とすることで、高温では、電動開閉バルブ２１及び電磁弁２を閉じた状態として、高温・高圧蒸気及び熱水の噴出を防止することができる。
【００２０】
次に、上述のように構成された蒸気生成部１の作用を説明すると、本装置の主電源スイッチを入れ、自動排水手段７により、缶体１８の表面温度が低温（例えば、５０℃以下）のときのみに、缶体１８内の水を排水してから、電動開閉バルブ２１及び電磁弁２を閉じる。
【００２１】
そして、内蔵水タンク１２の水を水タンク水位検知電極棒１３で検知し、水が有れば、給水ポンプ１５が作動して、水は、内蔵水タンク１２からカートリッジ式イオン交換樹脂１４を通り、給水逆止弁１６を通過して、缶体１８に入る。缶体１８内に入った水が缶体水位検知電極棒２５に（一定時間）振れることで、給水ポンプ１５が止まる。他方、水面が缶体水位検知電極棒２５から（一定時間）離れると、再度、給水ポンプ１５が作動して、缶体１８に給水される。なお、内蔵水タンク１２に水が無い場合は、給水ポンプ１５内に空気が混入することを防ぐために、水タンク水位検知電極棒１３で検知して給水ポンプ１５の作動を抑制する。
【００２２】
そして、缶体１８内の水面を缶体水位検知電極棒２５で検知して水が有れば、電気ヒータ１９に電気が入り、缶体１８内部の水を沸かし、蒸気を発生させ、発生した蒸気は、ストレーナ２６、及び、減圧弁２７を通って電磁弁２に供給される。
【００２３】
なお、蒸気流路３５の途中に圧力計２８を接続し、圧力を確認できるようにする。また、蒸気流路３５の途中に蒸気抜きバルブ２９を接続し、修理などの際に、缶体１８の蒸気を抜くことができるようにする。
【００２４】
また、蒸気流路３５の途中を、分岐流路３７にて、スチームトラップ３２に接続し、蒸気流路３５内に発生した水滴（ドレン）を抜くようにする。このスチームトラップ３２は、ドレン冷却管３３を介して、内蔵水タンク１２に連結され、スチームトラップ３２の高温のドレンを、ドレン冷却管３３にて冷却して、内蔵水タンク１２に戻すように構成している。
【００２５】
その後、本装置の主電源を切り、缶体１８が冷えてくると、缶体１８内部は蒸気が水になって真空状態になり、内蔵水タンク１２の水を吸い込んで満水となる虞れがある。そこで、これを防止するため、缶体真空解除弁１７を、水流路３４の給水逆止弁１６よりも下流側に接続し、缶体１８内部の圧力が負圧になると空気を吸い込んで、缶体１８の満水を防止するようにしている。
【００２６】
電磁弁２は、図３と図４に示すように、内部空間４４に弁本体（プランジャー）４５が配設される電磁弁本体４０と、弁本体４５の周囲に配設されるように電磁弁本体４０に巻設されるコイル４６と、を備えている。
【００２７】
電磁弁本体４０は、内部空間４４に連通される蒸気流入路４１及び蒸気流出路４２及び予熱蒸気循環路４３を貫設状に有し、蒸気流入路４１の外部入口には、蒸気流路３５が接続され、蒸気流出路４２の外部出口には、連結管４が接続され、予熱蒸気循環路４３の外部出口には、スチームトラップ３２に接続された返り管３８が接続されている。なお、「入口」とは、蒸気の上流側の開口部をいい、「出口」とは、蒸気の下流側の開口部をいう。また、「外部」とは、電磁弁２の外側をいい、「内部」とは、電磁弁２の内部空間４４側をいう。
【００２８】
弁本体４５は、蒸気流出路４２の内部入口を施蓋するように圧縮スプリング４７にて常時弾発付勢されており、コイル４６に通電することで、圧縮スプリング４７に抗して引き上げられて、蒸気流出路４２の内部入口を開蓋するように構成されている。即ち、電磁弁２への通電のＯＮ−ＯＦＦ切換えにより、弁本体４５の開閉切換え自在となる。
【００２９】
次に、電磁弁２の作用を説明すると、図４に示す電磁弁２の閉状態では、蒸気流路３５（蒸気生成部１）からの蒸気は、蒸気流入路４１を通って、内部空間４４に入ってから、予熱蒸気循環路４３を通って、返り管３８へ流れる。
【００３０】
他方、図５に示す電磁弁２の開状態では、蒸気流路３５（蒸気生成部１）からの蒸気は、蒸気流入路４１を通って、内部空間４４に入ってから、蒸気流出路４２及び予熱蒸気循環路４３を通って、連結管４及び返り管３８へ流れる。
【００３１】
言い換えると、電磁弁２の開状態及び閉状態において、蒸気流路３５からの蒸気は、常時、返り管３８へ流れており、他方、連結管４へは、電磁弁２の開状態にのみ、蒸気が流れる。
【００３２】
このように、電磁弁２の閉状態に於ても蒸気生成部１からの蒸気を流しているため、電磁弁２内部を予熱することができる。従って、電磁弁２が閉状態のときにも、電磁弁２が冷えることがなく、電磁弁２の開状態のときに、電磁弁２内部において水滴の発生を防止し、蒸気のみを連結管４（スチーム吹出部３）へ送ることができる。
【００３３】
さらに、予熱蒸気循環路４３の内部入口は、蒸気流出路４２の内部入口の近傍に配設されているため、電磁弁本体４０の全体に、確実に、予熱を与えることができる。
【００３４】
なお、電磁弁２の閉状態で、電磁弁２内部に蒸気を流し始めた当初は、電磁弁本体４０を暖めることで水滴（ドレン）が発生する（若しくは、前回使用の蒸気が冷えて水滴となっている）が、この水滴は、蒸気と共に、返り管３８へ排出され、スチーム吹出部３へは水滴は供給されない。
【００３５】
また、電磁弁２は、図３〜図５に示すように、蒸気量調整手段５０を有しており、電磁弁２の開状態において、スチーム吹出部３からの蒸気の噴出量の大小（乃至噴出停止）を調整できるように構成されている。具体的に述べると、電磁弁本体４０には、調整スピンドル４８が、雄雌ネジ結合にて、螺進退自在に挿入され、調整スピンドル４８の先端が、蒸気流出路４２の途中に、進退自在に介在し、蒸気流出路４２の蒸気を遮断乃至流通するように構成されている。調整スピンドル４８の基端は、操作軸４９の一端に、軸心方向にのみ進退自在となるように結合されており、操作軸４９の他端に固着された調整ツマミ３１の回転操作にて、操作軸４９とともに調整スピンドル４８を回転させて、調整スピンドル４８の先端を進退自在とできる。なお、調整ツマミ３１は、ケーシングＣ外部に設けられ、外部から容易に操作できる。
【００３６】
スチーム吹付器５１は、図３と図６と図７に示すように、ブラシ状に形成され、先端部位となるスチーム吹出部３と、連結管４とスチーム吹出部３とを連結する接続配管５３と、を備え、全体がカバー部５６にて覆われている。カバー部５６には、スチーム吹付器５１を片手で持って操作できるように、把手部５７が形成されると共に、電磁弁２の開閉の切換えを配線５９を介して行う手元スイッチ５８が付設されている。
【００３７】
スチーム吹出部３は、ブロック状に形成され、スチーム吹出部３の内部には、上流側が接続配管５３に連結される共に下流側に複数の吹出口６２を有する吹出部内蒸気流路６０が、貫設されている。また、スチーム吹出部３は、吹出部内蒸気流路６０を加熱する電気ヒータ５２を内蔵すると共に、サーモスタット５４及び温度ヒューズ５５を有している。
【００３８】
具体的に述べると、吹出部内蒸気流路６０の途中には、吹出部内蒸気流路６０の全容積の大部分の容積を占める（円柱形状の）水蒸発用空間６１が設けられ、水蒸発用空間６１の近傍に電気ヒータ５２が配設されている。
【００３９】
要するに、スチーム吹出部３は、伝熱に優れた材質から成り、電気ヒータ５２の熱は、スチーム吹出部３本体を伝わって、吹出部内蒸気流路６０の全体に（特に、水蒸発用空間６１に）行き渡る。
【００４０】
次に、スチーム吹付器５１の作用を説明すると、手元スイッチ５８にて電磁弁２を開状態にすると、連結管４から入った蒸気は、接続配管５３を通り、スチーム吹出部３に入る。このとき、蒸気と同時に入った水滴（ドレン）は、水蒸発用空間６１で電気ヒータ５２にて加熱され、再び蒸気となり、吹出口６２より、蒸気のみが噴出される。なお、電気ヒータ５２のＯＮ−ＯＦＦは、本装置の主電源に直結するようにしている。
【００４１】
即ち、スチーム吹付器５１から蒸気を出していない装置の未使用状態では、連結管４等が外気により冷えており、このときに、電磁弁２を開いて装置を使用すると、蒸気が連結管４等を暖めて水滴となる（若しくは、前回使用の蒸気が冷えて水滴となっている）が、加熱された吹出部内蒸気流路６０（水蒸発用空間６１）により、水滴は再加熱されて蒸気となり、スチーム吹出部３から水滴は噴出しない。要するに、水蒸発用空間６１において、水滴の流出速度を遅くして、水滴を滞留させ、確実に蒸発できるようにしている。
【００４２】
以上まとめると、本装置では、電磁弁２を閉状態に於ても予熱すると共に、スチーム吹出部３の吹出部内蒸気流路６０を加熱するように構成されているため、本装置の使用状態において、スチーム吹出部３から蒸気と同時に水滴が吹き出る虞れがない。即ち、本装置のような構成でなければ、電磁弁を閉じてスチーム吹出部から湯気を出していない装置の未使用状態では、電磁弁本体及び連結管が外気により冷えており、このときに、電磁弁を開いて装置を使用すると、最初の段階では、前回使用の蒸気が既に水滴となっており、この水滴がスチーム吹出部３から噴出し、その後では、蒸気が電磁弁及び連結管を暖めて水滴となり、スチーム吹出部から蒸気と同時に水滴が吹き出して、この高温の水滴が、直接に、頭部又は肌に当たって火傷をする虞れがある。
【００４３】
次に、本装置を用いた理美容方法としては、パーマネントウェーブ用薬品を髪につけた後、圧力のある蒸気をスチーム吹出部３へ送って該スチーム吹出部３から強制的に蒸気を噴出して髪に当てて、髪にパーマネントウェーブをかける方法や、毛染め用薬品を髪につけた後、圧力のある蒸気をスチーム吹出部３へ送って該スチーム吹出部３から強制的に蒸気を噴出して髪に当てて、髪の毛染めを行う方法や、毛髪用トリートメント剤を髪につけた後、圧力のある蒸気をスチーム吹出部３へ送って該スチーム吹出部３から強制的に蒸気を噴出して髪に当てる方法や、美顔剤を顔につけた後、圧力のある蒸気をスチーム吹出部３へ送って該スチーム吹出部３から強制的に蒸気を噴出して顔に当てる方法や、美容薬剤（化粧品や美肌剤等）を身体の肌につけた後、圧力のある蒸気をスチーム吹出部３から噴出して、身体の各部に次々と当てる方法等がある。
【００４４】
上述のような方法によれば、スチーム吹出部３から（薬品などをつけた）髪又は顔に勢いよく吹き付けられた蒸気は、髪又は顔の全面に迅速かつ均一に拡がるため、髪又は顔の全体を、短時間でかつ均一に仕上げることができる。言い換えると、スチーム吹出部３から強制的に吹き付けられる蒸気は、従来の湯気に比べて、流速が十分に大きいため（単位時間当りに髪又は顔に送られる熱量が多いため）、仕上がりを大幅に短縮することができる。また、身体の肌へ吹き付けられた蒸気は、従来の湯気に比べて、流速が十分に大きいため（単位時間当りに肌に送られる熱量が多いため）、身体全体を仕上げる時間を大幅に短縮することができる。
【００４５】
なお、噴出された蒸気は、吹き出される勢いで周囲の空気を巻き込んで温度を下げ、髪又は顔若しくは身体の肌に当たる時点では適度な温度となって、頭部又は顔面若しくは身体の火傷などを防止することができる。もちろん、スチーム吹出部３から離れていても、確実に、蒸気を髪又は顔や身体の肌に当てることができる。
【００４６】
上述の方法において、スチーム吹出部３からの噴出直前の蒸気の（ゲージ）圧力を、０．２　〜０．５　ＭＰａとして、噴出直前の蒸気の温度を、１２０　〜　１５０℃としたり、さらに、蒸気が髪又は肌に当たる直前の風圧を、５〜１５Ｐａとして、蒸気が髪又は肌に当たる直前の温度を、４０〜４５℃とすることで、理美容の仕上げ時間を一層大幅に短縮して、髪又は肌へのダメージを抑えることができる。
【００４７】
なお、本発明は上述の実施の形態に限定されず、本発明の要旨を逸脱しない範囲で設計変更可能である。例えば、一つの蒸気生成部１に、複数の電磁弁２及びスチーム吹出部３を配設してもよい。
【００４８】
【発明の効果】
本発明は上述の如く構成されるので、次に記載する効果を奏する。
【００４９】
（請求項１によれば、）薬品などをつけた髪又は顔若しくは身体の肌へ蒸気を勢いよく当てることができるため、蒸気を髪又は顔や肌の全面に短時間でかつ均一に拡散でき、理美容の仕上げ時間を大幅に短縮して、薬品や高温の蒸気による髪の毛又は顔や身体の肌へのダメージを極力抑えることができる。また、電磁弁２を常時暖めると共にスチーム吹出部３を加熱することで、本装置の使用時において、スチーム吹出部３から蒸気と同時に高温の水滴が噴出するのを抑制でき、火傷を防止することができる。
【００５０】
（請求項２によれば、）水蒸発用空間６１にて、確実に、水滴を蒸発させることができ、スチーム吹出部３からの水滴の噴出を一層抑制することができる。
（請求項３によれば、）スチーム吹出部３から安定した量の蒸気を噴出することができ、例えば、蒸気を連続して噴出した場合に、出し始めの蒸気量と、しばらく出した時の蒸気量を一定にすることができ、使い勝手がよく、理美容の仕上げ時間の短縮を図ることができると共に均一に仕上げることができる。
【図面の簡単な説明】
【図１】本発明の実施の一形態を示す平面図である。
【図２】正面図である。
【図３】蒸気生成部の簡略構成説明図である。
【図４】電磁弁の閉状態を示す断面図である。
【図５】電磁弁の開状態を示す断面図である。
【図６】スチーム吹付器の一部断面平面図である。
【図７】スチーム吹付器の一部断面側面図である。
【符号の説明】
１　蒸気生成部
２　電磁弁
３　スチーム吹出部
４　連結管
１８　缶体
２７　減圧弁
３５　蒸気流路
４３　予熱蒸気循環路
５２　電気ヒータ
６０　吹出部内蒸気流路
６１　水蒸発用空間
【図１】
2004057604.tif 000003
【図２】
2004057604.tif 000004
【図３】
2004057604.tif 000005
【図４】
2004057604.tif 000006
【図５】
2004057604.tif 000007
【図６】
2004057604.tif 000008
【図７】
2004057604.tif 000009
【手続補正書】
【提出日】平成15年11月10日(2003.11.10)
【手続補正１】
【補正対象書類名】明細書
【補正対象項目名】全文
【補正方法】変更
【補正の内容】
【発明の詳細な説明】
【特許請求の範囲】
【請求項１】蒸気生成部（１）から、電磁弁（２）、連結管（４）を介して、圧力のある蒸気を送ってスチーム吹出部（３）から強制的に噴出させる理美容用蒸気供給装置であって、上記電磁弁（２）が、閉状態に於ても上記蒸気生成部（１）からの蒸気を流して上記電磁弁（２）内部を予熱する予熱蒸気循環路（４３）を有し、さらに、上記スチーム吹出部（３）が、その内部の吹出部内蒸気流路（６０）を加熱する電気ヒータ（５２）を有することを特徴とする理美容用蒸気供給装置。
【請求項２】吹出部内蒸気流路（６０）の途中に、水蒸発用空間（６１）を設け、該水蒸発用空間（６１）の近傍に電気ヒータ（５２）を配設した請求項１記載の理美容用蒸気供給装置。
【請求項３】蒸気生成部（１）が、蒸気を発生させる缶体（１８）を有し、該缶体（１８）と電磁弁（２）との間の蒸気流路（３５）に減圧弁（２７）を配設した請求項１又は２記載の理美容用蒸気供給装置。
【請求項４】蒸気生成部（１）から圧力のある蒸気をスチーム吹出部（３）へ送って、該スチーム吹出部（３）から強制的に蒸気を噴出し、噴出した蒸気に周囲の空気を巻き込ませて身体に当たる直前の蒸気の温度を４０〜４５℃に下げ、かつ、吹出される勢いでもって蒸気を身体に当てることを特徴とする理美容方法。
【請求項５】上記スチーム噴出部（３）における噴出直前の蒸気のゲージ圧力を０．２〜０．５ＭＰａとし、噴出直前の蒸気の温度を１２０〜１５０℃とし、さらに、該スチーム噴出部（３）から噴出した蒸気が身体に当たる直前の風圧を５〜１５Ｐａとする請求項４記載の理美容方法。
【発明の詳細な説明】
【０００１】
【発明の属する技術分野】
本発明は、理美容用蒸気供給装置及び理美容方法に関する。
【０００２】
【従来の技術】
一般に、髪にパーマネントウェーブをかける場合や髪の毛染めを行う場合、髪に薬品をつけた後に遠赤外線等の乾熱を当てるか、若しくは自然放置して、仕上げていた。また、顔の美容を行う場合、美顔剤を顔全面につけてから蒸気を当てるか、又は、２０分間程度放置していた。
【０００３】
そして、従来の理美容用蒸気供給装置は、水を大気圧下で沸騰させて（圧力のない水蒸気）湯気を発生させ、その湯気を髪又は顔に当てるように構成されていた。
【０００４】
【発明が解決しようとする課題】
しかしながら、従来の理美容用蒸気供給装置では、（自然に立ちのぼっている状態の）湯気は、顔に部分的にしか当たらないため、顔の全体を均一に仕上げることが困難であった。しかも、湯気の出口付近は、熱くて近づくことができず、他方、離れると湯気が当たらないため、湯気の使用は困難であった。また、薬品及び熱を、髪にさらす時間が長くなるため、髪の毛にダメージを与えていた。
【０００５】
そこで、本発明は、理美容の仕上げ時間を大幅に短縮して、髪又は顔や身体の肌へのダメージを極力抑えると共に、高温の水滴の吹き出しを抑制して火傷を防止する理美容用蒸気供給装置を提供することを目的とする。
【０００６】
【課題を解決するための手段】
上述の目的を達成するために、本発明に係る理美容用蒸気供給装置は、蒸気生成部から、電磁弁、連結管を介して、圧力のある蒸気を送ってスチーム吹出部から強制的に噴出させる理美容用蒸気供給装置であって、上記電磁弁が、閉状態に於ても上記蒸気生成部からの蒸気を流して上記電磁弁内部を予熱する予熱蒸気循環路を有し、さらに、上記スチーム吹出部が、その内部の吹出部内蒸気流路を加熱する電気ヒータを有するものである。
【０００７】
また、吹出部内蒸気流路の途中に、水蒸発用空間を設け、該水蒸発用空間の近傍に電気ヒータを配設している。また、蒸気生成部が、蒸気を発生させる缶体を有し、該缶体と電磁弁との間の蒸気流路に減圧弁を配設している。
【０００８】
また、本発明に係る理美容方法は、蒸気生成部から圧力のある蒸気をスチーム吹出部へ送って、該スチーム吹出部から強制的に蒸気を噴出し、噴出した蒸気に周囲の空気を巻き込ませて身体に当たる直前の蒸気の温度を４０〜４５℃に下げ、かつ、吹出される勢いでもって蒸気を身体に当てる方法である。
また、上記スチーム噴出部における噴出直前の蒸気のゲージ圧力を０．２〜０．５ＭＰａとし、噴出直前の蒸気の温度を１２０〜１５０℃とし、さらに、スチーム噴出部から噴出した蒸気が身体に当たる直前の風圧を５〜１５Ｐａとする。
【０００９】
【発明の実施の形態】
以下、実施の形態を示す図面に基づき、本発明を詳説する。
【００１０】
図１と図２と図３に、本発明に係る理美容用蒸気供給装置の実施の一形態を示し、本装置は、ケーシングＣに（その大部分が）内装される蒸気生成部１から、電磁弁２、及び、（ホースなどの）可撓性のある連結管４を介して、圧力のある蒸気を送ってスチーム吹付器５１のスチーム吹出部３から強制的に噴出させるように構成されている。なお、「圧力のある蒸気」とは、大気圧よりも高い圧力を有する蒸気をいう。
【００１１】
本装置は、髪にパーマネントウェーブをかける場合や髪の毛染めを行う場合、又は、顔の美容を行う場合、若しくは、身体（全体）の美容を行う場合に、（薬品や化粧品や美容液などをつけた）髪又は顔若しくは身体に、スチーム吹出部３から（水）蒸気を勢いよく吹き付けて使用される。
【００１２】
蒸気生成部１は、図３に示すように、蒸気を発生させる缶体（ボイラー）１８と、缶体１８へ水を供給するための交換可能なカートリッジ式水タンク１１とを、有し、缶体１８は、水流路３４を介してカートリッジ式水タンク１１と連結され、かつ、蒸気流路３５を介して電磁弁２と連結されている。
【００１３】
カートリッジ式水タンク１１は、水流路３４の上流に連結される内蔵水タンク１２の上面に載置され、（図示省略の）バルブを介して、カートリッジ式水タンク１１内の水が、落差で、内蔵水タンク１２内に流入するように構成されている。なお、カートリッジ式水タンク１１は、図２に示すように、ケーシングＣの開閉扉５から取出自在にケーシングＣに内蔵され、本装置へ清浄な水を容易に補給できる。
【００１４】
水流路３４には、上流側より、順次、カートリッジ式イオン交換樹脂１４、給水ポンプ１５、給水逆止弁１６が配設されている。ここで、本装置の使用時間が長く多くの蒸気を使用すると、缶体１８内部の水は不純物が濃縮され、キャリーオーバーが発生して水滴が出るが、カートリッジ式イオン交換樹脂１４を内蔵することで、水の不純物を少なくすることができる。また、カートリッジ式イオン交換樹脂１４は、交換可能で、簡単に取り替えることができる。なお、ケーシングＣの正面に付設された操作パネル６に於て、カートリッジ式イオン交換樹脂１４の寿命を表示するようにしてもよい。このとき、（図示省略の）タイマーにて給水ポンプ１５の稼動時間を累積し、水の使用量を概算してカートリッジ式イオン交換樹脂１４の寿命を設定するように構成すればよく、カートリッジ式イオン交換樹脂１４を取り替えたときは、そのタイマーをリセットすればよい。
【００１５】
缶体１８は、液相（水）側に挿入される電気ヒータ１９と、気相（蒸気）側に連通連結される圧力設定スイッチ２４と、を備え、電気ヒータ１９は、缶体１８内の水を沸かして蒸気を発生させ、圧力設定スイッチ２４は、缶体１８内の蒸気圧力を測定して（予め）設定された圧力と比べて、電気ヒータ１９をＯＮ−ＯＦＦ切換えするように構成されている。即ち、設定圧力になると、電気ヒータ１９への通電が止まり、設定圧力未満になると再度電気ヒータ１９に通電される。従って、缶体１８内部の圧力を一定に保つことができる。
【００１６】
また、缶体１８の気相側には、圧力安全弁２３が取り付けられ、何らかの異常が発生して設定圧力を越えた場合は、圧力安全弁２３より蒸気を噴き出し、缶体１８が異常高圧力になるのを防ぐことができる。
【００１７】
また、缶体１８には、水面を検知する缶体水位検知電極棒２５が挿入され、水面がある一定時間以上、低水位を持続した場合は、電気ヒータ１９の通電を止めるように構成されている。従って、電気ヒータ１９の空焚きを防止することができる。
【００１８】
また、蒸気流路３５には、上流側より、順次、ストレーナ２６、減圧弁２７が配設されている。この減圧弁２７は、上流側の缶体１８内を高圧（例えば、０．５ＭＰａ）にし、下流側を低圧（例えば、０．２ＭＰａ）にするように構成されており、スチーム吹出部３より蒸気を噴出して、缶体１８内部の圧力が低圧（例えば、０．２ＭＰａ）になるまでは安定した蒸気を噴出することができる。即ち、減圧弁２７が無い場合は、蒸気使用量が蒸気発生量より多いときに、使用中に蒸気圧力が低下して、蒸気噴出量が減少し、特に、使用始めと終わりの方では蒸気量が変わるといった欠点があるが、本装置のように、減圧弁２７を設けることで、噴出蒸気量を一定にすることができる。
【００１９】
また、蒸気生成部１は、缶体１８の温度が所定値以下のときに缶体１８内の水を排水する自動排水手段７を備えている。具体的に述べると、缶体１８は、排水流路３６を介して、ケーシングＣの外部にある缶体排水受け容器２２に連結され、その排水流路３６の途中には、電動開閉バルブ２１が配設されている。そして、缶体１８表面に取り付けられた缶体温度センサ２０が、本装置使用後主電源を切って自然冷却している缶体１８表面の温度を検知して、その温度が低温の所定値（例えば５０℃）以下のときに、再度本装置の主電源を入れると、電動開閉バルブ２１を開けて、缶体排水受け容器２２に缶体１８内の水を排水するように構成している。このとき、電磁弁２を開けて、空気を缶体１８内に入るようにしている。即ち、自動排水手段７は、缶体温度センサ２０と、電動開閉バルブ２１と、電磁弁２等から構成される。
【００２０】
従って、本装置により蒸気を多く使用後、缶体１８内部の水は不純物が濃縮されて水垢が溜まるが、この自動排水手段７により、本装置を再度使用する前に、缶体１８内部の水垢を排水して、缶体１８内部のキャリーオーバーを防止することができる。なお、所定値を低温とすることで、高温では、電動開閉バルブ２１及び電磁弁２を閉じた状態として、高温・高圧蒸気及び熱水の噴出を防止することができる。
【００２１】
次に、上述のように構成された蒸気生成部１の作用を説明すると、本装置の主電源スイッチを入れ、自動排水手段７により、缶体１８の表面温度が低温（例えば、５０℃以下）のときのみに、缶体１８内の水を排水してから、電動開閉バルブ２１及び電磁弁２を閉じる。
【００２２】
そして、内蔵水タンク１２の水を水タンク水位検知電極棒１３で検知し、水が有れば、給水ポンプ１５が作動して、水は、内蔵水タンク１２からカートリッジ式イオン交換樹脂１４を通り、給水逆止弁１６を通過して、缶体１８に入る。缶体１８内に入った水が缶体水位検知電極棒２５に（一定時間）振れることで、給水ポンプ１５が止まる。他方、水面が缶体水位検知電極棒２５から（一定時間）離れると、再度、給水ポンプ１５が作動して、缶体１８に給水される。なお、内蔵水タンク１２に水が無い場合は、給水ポンプ１５内に空気が混入することを防ぐために、水タンク水位検知電極棒１３で検知して給水ポンプ１５の作動を抑制する。
【００２３】
そして、缶体１８内の水面を缶体水位検知電極棒２５で検知して水が有れば、電気ヒータ１９に電気が入り、缶体１８内部の水を沸かし、蒸気を発生させ、発生した蒸気は、ストレーナ２６、及び、減圧弁２７を通って電磁弁２に供給される。
【００２４】
なお、蒸気流路３５の途中に圧力計２８を接続し、圧力を確認できるようにする。また、蒸気流路３５の途中に蒸気抜きバルブ２９を接続し、修理などの際に、缶体１８の蒸気を抜くことができるようにする。
【００２５】
また、蒸気流路３５の途中を、分岐流路３７にて、スチームトラップ３２に接続し、蒸気流路３５内に発生した水滴（ドレン）を抜くようにする。このスチームトラップ３２は、ドレン冷却管３３を介して、内蔵水タンク１２に連結され、スチームトラップ３２の高温のドレンを、ドレン冷却管３３にて冷却して、内蔵水タンク１２に戻すように構成している。
【００２６】
その後、本装置の主電源を切り、缶体１８が冷えてくると、缶体１８内部は蒸気が水になって真空状態になり、内蔵水タンク１２の水を吸い込んで満水となる虞れがある。そこで、これを防止するため、缶体真空解除弁１７を、水流路３４の給水逆止弁１６よりも下流側に接続し、缶体１８内部の圧力が負圧になると空気を吸い込んで、缶体１８の満水を防止するようにしている。
【００２７】
電磁弁２は、図３と図４に示すように、内部空間４４に弁本体（プランジャー）４５が配設される電磁弁本体４０と、弁本体４５の周囲に配設されるように電磁弁本体４０に巻設されるコイル４６と、を備えている。
【００２８】
電磁弁本体４０は、内部空間４４に連通される蒸気流入路４１及び蒸気流出路４２及び予熱蒸気循環路４３を貫設状に有し、蒸気流入路４１の外部入口には、蒸気流路３５が接続され、蒸気流出路４２の外部出口には、連結管４が接続され、予熱蒸気循環路４３の外部出口には、スチームトラップ３２に接続された返り管３８が接続されている。なお、「入口」とは、蒸気の上流側の開口部をいい、「出口」とは、蒸気の下流側の開口部をいう。また、「外部」とは、電磁弁２の外側をいい、「内部」とは、電磁弁２の内部空間４４側をいう。
【００２９】
弁本体４５は、蒸気流出路４２の内部入口を施蓋するように圧縮スプリング４７にて常時弾発付勢されており、コイル４６に通電することで、圧縮スプリング４７に抗して引き上げられて、蒸気流出路４２の内部入口を開蓋するように構成されている。即ち、電磁弁２への通電のＯＮ−ＯＦＦ切換えにより、弁本体４５の開閉切換え自在となる。
【００３０】
次に、電磁弁２の作用を説明すると、図４に示す電磁弁２の閉状態では、蒸気流路３５（蒸気生成部１）からの蒸気は、蒸気流入路４１を通って、内部空間４４に入ってから、予熱蒸気循環路４３を通って、返り管３８へ流れる。
【００３１】
他方、図５に示す電磁弁２の開状態では、蒸気流路３５（蒸気生成部１）からの蒸気は、蒸気流入路４１を通って、内部空間４４に入ってから、蒸気流出路４２及び予熱蒸気循環路４３を通って、連結管４及び返り管３８へ流れる。
【００３２】
言い換えると、電磁弁２の開状態及び閉状態において、蒸気流路３５からの蒸気は、常時、返り管３８へ流れており、他方、連結管４へは、電磁弁２の開状態にのみ、蒸気が流れる。
【００３３】
このように、電磁弁２の閉状態に於ても蒸気生成部１からの蒸気を流しているため、電磁弁２内部を予熱することができる。従って、電磁弁２が閉状態のときにも、電磁弁２が冷えることがなく、電磁弁２の開状態のときに、電磁弁２内部において水滴の発生を防止し、蒸気のみを連結管４（スチーム吹出部３）へ送ることができる。
【００３４】
さらに、予熱蒸気循環路４３の内部入口は、蒸気流出路４２の内部入口の近傍に配設されているため、電磁弁本体４０の全体に、確実に、予熱を与えることができる。
【００３５】
なお、電磁弁２の閉状態で、電磁弁２内部に蒸気を流し始めた当初は、電磁弁本体４０を暖めることで水滴（ドレン）が発生する（若しくは、前回使用の蒸気が冷えて水滴となっている）が、この水滴は、蒸気と共に、返り管３８へ排出され、スチーム吹出部３へは水滴は供給されない。
【００３６】
また、電磁弁２は、図３〜図５に示すように、蒸気量調整手段５０を有しており、電磁弁２の開状態において、スチーム吹出部３からの蒸気の噴出量の大小（乃至噴出停止）を調整できるように構成されている。具体的に述べると、電磁弁本体４０には、調整スピンドル４８が、雄雌ネジ結合にて、螺進退自在に挿入され、調整スピンドル４８の先端が、蒸気流出路４２の途中に、進退自在に介在し、蒸気流出路４２の蒸気を遮断乃至流通するように構成されている。調整スピンドル４８の基端は、操作軸４９の一端に、軸心方向にのみ進退自在となるように結合されており、操作軸４９の他端に固着された調整ツマミ３１の回転操作にて、操作軸４９とともに調整スピンドル４８を回転させて、調整スピンドル４８の先端を進退自在とできる。なお、調整ツマミ３１は、ケーシングＣ外部に設けられ、外部から容易に操作できる。
【００３７】
スチーム吹付器５１は、図３と図６と図７に示すように、ブラシ状に形成され、先端部位となるスチーム吹出部３と、連結管４とスチーム吹出部３とを連結する接続配管５３と、を備え、全体がカバー部５６にて覆われている。カバー部５６には、スチーム吹付器５１を片手で持って操作できるように、把手部５７が形成されると共に、電磁弁２の開閉の切換えを配線５９を介して行う手元スイッチ５８が付設されている。
【００３８】
スチーム吹出部３は、ブロック状に形成され、スチーム吹出部３の内部には、上流側が接続配管５３に連結される共に下流側に複数の吹出口６２を有する吹出部内蒸気流路６０が、貫設されている。また、スチーム吹出部３は、吹出部内蒸気流路６０を加熱する電気ヒータ５２を内蔵すると共に、サーモスタット５４及び温度ヒューズ５５を有している。
【００３９】
具体的に述べると、吹出部内蒸気流路６０の途中には、吹出部内蒸気流路６０の全容積の大部分の容積を占める（円柱形状の）水蒸発用空間６１が設けられ、水蒸発用空間６１の近傍に電気ヒータ５２が配設されている。
【００４０】
要するに、スチーム吹出部３は、伝熱に優れた材質から成り、電気ヒータ５２の熱は、スチーム吹出部３本体を伝わって、吹出部内蒸気流路６０の全体に（特に、水蒸発用空間６１に）行き渡る。
【００４１】
次に、スチーム吹付器５１の作用を説明すると、手元スイッチ５８にて電磁弁２を開状態にすると、連結管４から入った蒸気は、接続配管５３を通り、スチーム吹出部３に入る。このとき、蒸気と同時に入った水滴（ドレン）は、水蒸発用空間６１で電気ヒータ５２にて加熱され、再び蒸気となり、吹出口６２より、蒸気のみが噴出される。なお、電気ヒータ５２のＯＮ−ＯＦＦは、本装置の主電源に直結するようにしている。
【００４２】
即ち、スチーム吹付器５１から蒸気を出していない装置の未使用状態では、連結管４等が外気により冷えており、このときに、電磁弁２を開いて装置を使用すると、蒸気が連結管４等を暖めて水滴となる（若しくは、前回使用の蒸気が冷えて水滴となっている）が、加熱された吹出部内蒸気流路６０（水蒸発用空間６１）により、水滴は再加熱されて蒸気となり、スチーム吹出部３から水滴は噴出しない。要するに、水蒸発用空間６１において、水滴の流出速度を遅くして、水滴を滞留させ、確実に蒸発できるようにしている。
【００４３】
以上まとめると、本装置では、電磁弁２を閉状態に於ても予熱すると共に、スチーム吹出部３の吹出部内蒸気流路６０を加熱するように構成されているため、本装置の使用状態において、スチーム吹出部３から蒸気と同時に水滴が吹き出る虞れがない。即ち、本装置のような構成でなければ、電磁弁を閉じてスチーム吹出部から湯気を出していない装置の未使用状態では、電磁弁本体及び連結管が外気により冷えており、このときに、電磁弁を開いて装置を使用すると、最初の段階では、前回使用の蒸気が既に水滴となっており、この水滴がスチーム吹出部３から噴出し、その後では、蒸気が電磁弁及び連結管を暖めて水滴となり、スチーム吹出部から蒸気と同時に水滴が吹き出して、この高温の水滴が、直接に、頭部又は肌に当たって火傷をする虞れがある。
【００４４】
次に、本装置を用いた理美容方法としては、パーマネントウェーブ用薬品を髪につけた後、圧力のある蒸気をスチーム吹出部３へ送って該スチーム吹出部３から強制的に蒸気を噴出して髪に当てて、髪にパーマネントウェーブをかける方法や、毛染め用薬品を髪につけた後、圧力のある蒸気をスチーム吹出部３へ送って該スチーム吹出部３から強制的に蒸気を噴出して髪に当てて、髪の毛染めを行う方法や、毛髪用トリートメント剤を髪につけた後、圧力のある蒸気をスチーム吹出部３へ送って該スチーム吹出部３から強制的に蒸気を噴出して髪に当てる方法や、美顔剤を顔につけた後、圧力のある蒸気をスチーム吹出部３へ送って該スチーム吹出部３から強制的に蒸気を噴出して顔に当てる方法や、美容薬剤（化粧品や美肌剤等）を身体の肌につけた後、圧力のある蒸気をスチーム吹出部３から噴出して、身体の各部に次々と当てる方法等がある。
【００４５】
上述のような方法によれば、スチーム吹出部３から（薬品などをつけた）髪又は顔に勢いよく吹き付けられた蒸気は、髪又は顔の全面に迅速かつ均一に拡がるため、髪又は顔の全体を、短時間でかつ均一に仕上げることができる。言い換えると、スチーム吹出部３から強制的に吹き付けられる蒸気は、従来の湯気に比べて、流速が十分に大きいため（単位時間当りに髪又は顔に送られる熱量が多いため）、仕上がりを大幅に短縮することができる。また、身体の肌へ吹き付けられた蒸気は、従来の湯気に比べて、流速が十分に大きいため（単位時間当りに肌に送られる熱量が多いため）、身体全体を仕上げる時間を大幅に短縮することができる。
【００４６】
なお、噴出された蒸気は、吹き出される勢いで周囲の空気を巻き込んで温度を下げ、髪又は顔若しくは身体の肌に当たる時点では適度な温度となって、頭部又は顔面若しくは身体の火傷などを防止することができる。もちろん、スチーム吹出部３から離れていても、確実に、蒸気を髪又は顔や身体の肌に当てることができる。
【００４７】
上述の方法において、スチーム吹出部３からの噴出直前の蒸気の（ゲージ）圧力を、０．２〜０．５ＭＰａとして、噴出直前の蒸気の温度を、１２０〜１５０℃としたり、さらに、蒸気が髪又は肌に当たる直前の風圧を、５〜１５Ｐａとして、蒸気が髪又は肌に当たる直前の温度を、４０〜４５℃とすることで、理美容の仕上げ時間を一層大幅に短縮して、髪又は肌へのダメージを抑えることができる。
【００４８】
なお、本発明は上述の実施の形態に限定されず、本発明の要旨を逸脱しない範囲で設計変更可能である。例えば、一つの蒸気生成部１に、複数の電磁弁２及びスチーム吹出部３を配設してもよい。
【００４９】
【発明の効果】
本発明は上述の如く構成されるので、次に記載する効果を奏する。
【００５０】
（請求項１によれば、）薬品などをつけた髪又は顔若しくは身体の肌へ蒸気を勢いよく当てることができるため、蒸気を髪又は顔や肌の全面に短時間でかつ均一に拡散でき、理美容の仕上げ時間を大幅に短縮して、薬品や高温の蒸気による髪の毛又は顔や身体の肌へのダメージを極力抑えることができる。また、電磁弁２を常時暖めると共にスチーム吹出部３を加熱することで、本装置の使用時において、スチーム吹出部３から蒸気と同時に高温の水滴が噴出するのを抑制でき、火傷を防止することができる。
【００５１】
（請求項２によれば、）水蒸発用空間６１にて、確実に、水滴を蒸発させることができ、スチーム吹出部３からの水滴の噴出を一層抑制することができる。
（請求項３によれば、）スチーム吹出部３から安定した量の蒸気を噴出することができ、例えば、蒸気を連続して噴出した場合に、出し始めの蒸気量と、しばらく出した時の蒸気量を一定にすることができ、使い勝手がよく、理美容の仕上げ時間の短縮を図ることができると共に均一に仕上げることができる。
【００５２】
（請求項４によれば）スチーム吹出部３から（薬品などをつけた）髪又は顔等の身体に勢いよく吹き付けられた蒸気は、髪又は顔等の全面に迅速かつ均一に拡がるため、髪又は顔等の全体を、短時間でかつ均一に仕上げることができる。言い換えると、スチーム吹出部３から強制的に吹き付けられる蒸気は、従来の湯気に比べて、流速が十分に大きいため（単位時間当りに髪又は顔等に送られる熱量が多いため）、仕上がり時間を大幅に短縮することができる。
また、髪又は顔若しくは身体の肌に当たる時点では蒸気が適度な温度となって、頭部又は顔面若しくは身体の火傷などを防止することができ、さらには、髪又は肌等へのダメージを抑えることができる。スチーム吹出部３から離れていても、確実に、蒸気を髪又は顔や身体の肌に当てることができる。
【００５３】
（請求項５によれば）理美容の仕上げ時間を一層大幅に短縮して、髪又は肌へのダメージを抑えることができる。
【図面の簡単な説明】
【図１】本発明の実施の一形態を示す平面図である。
【図２】正面図である。
【図３】蒸気生成部の簡略構成説明図である。
【図４】電磁弁の閉状態を示す断面図である。
【図５】電磁弁の開状態を示す断面図である。
【図６】スチーム吹付器の一部断面平面図である。
【図７】スチーム吹付器の一部断面側面図である。
【符号の説明】
１　蒸気生成部
２　電磁弁
３　スチーム吹出部
４　連結管
１８　缶体
２７　減圧弁
３５　蒸気流路
４３　予熱蒸気循環路
５２　電気ヒータ
６０　吹出部内蒸気流路
６１　水蒸発用空間